(57)【要約】【課題】本考案は、排水用配管工事をする際の重要な勾配である９１度１０分の角度をなす線を、容易に描くことができ、さらに、エルボーのカタログに記載されているZの値について、計算をすることなく、パイプの適切な位置にマークするのに有用であり、排水用の配管工事を効率よく、確実に行うことを可能とする排水配管工事用の排水配管用定規を提供することを目的とする。【解決手段】排水配管工事用の定規を第１定規部と第２定規部とがL字形であって、第１定規部と第２定規部とがなす角度を９１度１０分とし、第１定規部および／または前記第２定規部の内側に、配管用のエルボのカタログに記載されているZの値とエルボーの呼び径とが対応するような目盛を付し、エルボーによって連結しようとするパイプを複雑な計算をすることなく、正確かつ確実に、適切な長さで切断することに有用な排水配管用定規を構成する。【選択図】図１
0003133725.tif 000002
【実用新案登録請求の範囲】
【請求項１】
長方形の第１定規部と、長方形の第２定規部とがL字を構成するように連結された排水用の排水管の配管工事をするときに使用する排水配管用定規であって、
前記第１定規部と、前記第２定規部とがなす角度は９１度１０分であることを特徴とする排水配管用定規。
【請求項２】
請求項１に記載の排水配管用定規において、
前記第１定規部および／または前記第２定規部の内側には配管用のエルボ継手のカタログに記載されている値が目盛として付された内側目盛部を有していることを特徴とする排水配管用定規。
【請求項３】
請求項２に記載の排水配管用定規において、
前記内側目盛部は、前記エルボ継手のカタログに記載されている呼び径の値が、前記第１定規部と前記第２定規部とが９１度１０分の角度で連結している部分の外側の端から、前記呼び径の値に対応するＺの長さの位置に、目盛として付されていることを特徴とする排水配管用定規。
【請求項４】
請求項２に記載の排水配管用定規において、
前記内側目盛部は、前記エルボ継手のカタログに記載されているＺの値が、前記第１定規部と前記第２定規部とが９１度１０分の角度で連結している部分の外側の端から、前記Ｚの値に対応するＺの長さの位置に、目盛として付されていることを特徴とする排水配管用定規。
【請求項５】
請求項１乃至４のいずれかに記載の排水配管用定規において、
前記第１定規部および／または前記第２定規部の外側には、通常のセンチとミリメートルの目盛が付された通常目盛部を有することを特徴とする排水配管用定規。
【考案の詳細な説明】
【技術分野】
【０００１】
本考案は、排水用の排水管の配管工事をするときに使用する道具である排水配管用定規に関する。
【背景技術】
【０００２】
排水用の排水管を配置する配管工事を行う際には、排水が上流から下流へ、途中で留まることなく確実に流れるようにするために一定の勾配をつけて配管をしなければならない。排水管は、床下等のように、狭い空間に設置されるので、一定の勾配をつけながら、狭い空間に排水管を設置するためには、できる限り小さな勾配でありながら、確実に、排水が上流から下流へと流れる勾配にする必要がある。このような条件を具備する勾配として、５０分の１の勾配（水平距離５０メートルにつき１メートルの割合で高低差をつける勾配）が一般的に用いられている。そのために、非特許文献１に掲載されているように、５０分の１の勾配をつけて配管する際に用いる配管資材として、専用のエルボやチーズが市販されている。また、水平方向に対して５０分の１の勾配は、垂直方向と９１度１０分の角度に対応する。
【０００３】
したがって、排水用の配管工事の際にパイプとパイプの間の角度を９１度１０分に調整したり、正確に９１度１０分を維持しているかどうかを測定することは重要な作業となる。
【非特許文献１】建築設備配管資材、総合カタログ、２００４年、積水化学工業株式会社、ページ２４
【考案の開示】
【考案が解決しようとする課題】
【０００４】
しかしながら、９１度１０分の角度用の定規は、入手し難く、排水用の配管工事の際にパイプとパイプの間の角度を測る場合においても、９０度の定規が使用されている。このため、角度に微妙な差が生じて、配管作業の作業効率に悪影響を与えるとともに、作業の質を低下させている。
【０００５】
図を参照して、説明する。
図３は、２本のパイプがエルボーによって、９１度１０分の角度で連結されているものに、従来の直角定規をあてた様子を示す斜視図である。
図３において、３３０はエルボーであり、３０１と３０２はエルボー３３０で連結されているパイプであり、３２０は通常の直角定規であり、３２１は直角定規３２０の長いほうの定規部であり、３２２は短いほうの定規部であり、Bは直角定規３２０が構成する角度であり、９０度である。また、Xはパイプ３０１と３０２がなす角度であり、９１度１０分である、また、３１２はパイプ３０２と平行な線である。
【０００６】
図３に示されているように、直角定規３２０の定規部３２１をパイプ３０１の中心軸に合わせて平行にすると、パイプ３０２の中心軸の方向と直角定規３２０の定規部３２２の方向は微妙な差を生じる。
この差はパイプ３０２の長さが長くなるほど無視できないものとなり、差を考慮しないと、配管作業の質を悪くする。
【０００７】
したがって、配管工事の際には、この差を何らかの方法で、測定し、対応する必要があるが、この作業は、配管の作業効率を低下させている。
【０００８】
また、別の問題として、エルボーを使用して複数のパイプを連結する際には、各々のパイプの長さを的確に把握して、切断する必要があるが、この作業も難しい。
【０００９】
図を参照して、説明する。
図４は排水用のパイプをエルボーで連結するためのパイプの寸法出しの方法を説明するための平面図である。
図４において、３３０は連結するためのエルボーであり、４１２と４１１はパイプである。また４１１は寸法出しをして、切断しようとするパイプである。４２１はパイプ４１１の中心線であり、４２２はパイプ４１２の中心線であり、４４０は中心線４２１と４２２の交点であり、Bは中心線４２１と中心線４１２とがなす角度である。またZはエルボー３３３のカタログに記載されている数値である（非特許文献１の２４ページ参照）。４３１はエルボーの受け口の内径が小さくなっており、これ以上パイプを差し込むことができない段差の位置を示す段差線である。L2はパイプ４２１の一方の端から段差線４３１までの長さである。
【００１０】
パイプ４１１と４１２とをエルボー３３０で連結するためにはパイプ４１１を段差線４３１の位置で切断する必要がある。この作業を適切に行うためには、長さL2を正確に測る必要がある。
しかし、段差線４３１の位置はエルボー３３０の内部であり、外から見ることができない。そのために、通常は、中心線４２１と４２２の交点４４０の位置を求めて、パイプ４２１の一方の端から交点４４０までの長さを求めてZの値を減算することにより求める。具体的には、配管を設置する土間等に、中心線４２１、４２２を罫書き、交点４４０からZの寸法を測り、段差線４３１の位置にマークをする。そして、パイプを罫書いた線とマークに合わせて、切断する。この作業は、中心線４２１と中心線４１２とがなす角度Bが９０度ではなく、９１度１０分であること、Zの値を常に考慮しなければならないことにより、面倒な作業であるとともに、計算間違いを生じやすい。
【００１１】
そこで、本考案は、容易に９１度１０分の角度をなす線を描きやすく、さらに、エルボーのカタログに記載されているZの値について、計算する必要がなく、エルボーを使用して、排水用の配管工事を効率よく、確実に行うことを可能とする排水配管工事用の排水配管用定規を提供することを目的とする。
【課題を解決するための手段】
【００１２】
請求項１に記載された考案は、長方形の第１定規部と、長方形の第２定規部とがL字を構成するように連結された、排水用の排水管の配管工事をするときに使用する排水配管用定規であって、
前記第１定規部と、前記第２定規部とがなす角度は９１度１０分であることを特徴とする。
【００１３】
請求項２に記載された考案は、請求項１に記載の排水配管用定規に係り、
前記第１定規部および／または前記第２定規部の内側には配管用のエルボ継手のカタログに記載されている値（以下「カタログ値」ともいう）が目盛として付された内側目盛部を有していることを特徴とする。
【００１４】
請求項３に記載された考案は、請求項２に記載の排水配管用定規に係り、
前記内側目盛部は、前記エルボ継手のカタログに記載されている呼び径の値が、前記第１定規部と前記第２定規部とが９１度１０分の角度で連結している部分の外側の端から、前記呼び径の値に対応するＺの長さの位置に目盛として付されていることを特徴とする。
【００１５】
請求項４に記載された考案は、請求項２に記載の排水配管用定規に係り、
前記内側目盛部は、前記エルボ継手のカタログに記載されているＺの値が、前記第１定規部と前記第２定規部とが９１度１０分の角度で連結している部分の外側の端から、前記Ｚの値に対応するＺの長さの位置に目盛として付されていることを特徴とする。
【００１６】
請求項５に記載された考案は、請求項１乃至４のいずれかに記載の排水配管用定規に係り、
前記第１定規部および／または前記第２定規部の外側には、通常のセンチとミリメートルの目盛が付された通常目盛部を有することを特徴とする。
【考案の効果】
【００１７】
本考案に係る排水配管用定規によれば、中心軸が９１度１０分のエルボーを用いて、排水用の配管工事を行う際に、容易に９１度１０分の角度をなす線を描きやすく、さらに、エルボーのカタログに記載されているZの値について、計算する必要がなく、排水用の配管工事を効率よく確実に行うことでき、排水工事の作業効率の向上と、質の向上を図ることができる。
【考案を実施するための最良の形態】
【００１８】
以下、図を参照しつつ、考案を実施するための最良の形態につき説明する。
【００１９】
以下、図を参照して説明する。
【００２０】
図１は本考案の実施の形態に係る排水配管用定規である。
図１において、１０１は第１定規部であり、１０２は第２定規部である。また、１２１、１２５は配管定規の内側に付された目盛であり、１０３は内側目盛部である。１４１、１４２は配管定規の外側に付された目盛であり、１４０は外側目盛部である。Xは第１定規部１０１と第２定規部１０２とがなす角度である。
【００２１】
本考案の実施の形態に係る排水配管用定規の第１定規部１０１と第２定規部１０２とがなす角度Bは９１度１０分である。排水用のパイプを連結するためのエルボーおよび／またはチーズの受け口を構成する円筒の中心軸がなす角度に合わせたものである。
また、本考案の実施の形態に係る排水配管用定規の内側には、内側目盛部１０３が設置されており、目盛としては、エルボーのカタログに記載されている各種の呼び径の値が、第１定規部と第２定規部とが９１度１０分の角度で連結している部分の外側の端から、カタログに記載されているＺの値に対応するＺの長さの位置に目盛として付されている。
【００２２】
図と表を参照して、説明する。
図２は、本考案の実施の形態に係る排水配管用定規の根元の部分の拡大図である。
表１はエルボーのカタログに記載されているＺの値に関する表である。
【００２３】
【表１】
0003133725.tif 000003
図２において、１２１乃至１２５は配管定規の内側に付された目盛であり、１０３は内側目盛部である。また、１０１は第１定規部であり、１０２は第２定規部である。１４０は外側目盛部である。２０１は第１定規部１０１と第２定規部１０２とが９１度１０分の角度で連結している部分の第２定規部１０２の外側の端である。
【００２４】
表１において、呼び径とは配管パイプの径に関する表記であり、呼び径の列の数値は呼び径の種類であり、Zの列数値はZの値（単位はｍｍ）である。
図２において、目盛１２１には「４０」と付されている。この「４０」は表１の呼び径の列の４０であり、呼び径の数値を示す。この「４０」の目盛１２１は端２０１から右側へ２７ｍｍの位置に付されている。この「２７ｍｍ」は表１の呼び径４０の右側に記載されているZの値である。この「２７ｍｍ」は呼び径が４０ｍｍのエルボーに対応するZの値である。
目盛１２２についても、目盛１２１と同様に、目盛１２２には「５０」という数値が、端２０１から右側へ３３ｍｍの位置に付されている。この「３３ｍｍ」は表１の呼び径５０の右側に記載されているZの値である。この「３３ｍｍ」は呼び径が５０ｍｍのエルボーに対応するZの値である。目盛１２３乃至１２５についても、同様である。
【００２５】
次に、この本考案の実施の形態に係る排水配管用定規の使用方法と効果について説明する。
図５は、本考案の実施の形態に係る排水配管用定規を用いて、排水用のパイプをエルボーで連結するためのパイプの寸法出しをする方法を説明するための平面図である。
図５において、３３０は連結するためのエルボーであり、４１２と４１１とはパイプである。またパイプ４１１は寸法出しをして、切断しようとするパイプである。４２１はパイプ４１１の中心線であり、４２２はパイプ４１２の中心線であり、４４０は中心線４２１と４２２の交点である。またZはエルボー３３０のカタログに記載されている数値である。４３１はエルボーの受け口の内径が小さくなっており、これ以上パイプを差し込むことができない段差の位置を示す段差線である。L2はパイプ４２１の一方の端から段差線４３１までの長さである。１０１は本考案の実施の形態に係る排水配管用定規の第１定規部であり、１２２は目盛である。Xは中心線４２１と４２２とがなす角度である。
【００２６】
本考案の実施の形態に係る排水配管用定規を用いて、排水用のパイプをエルボーで連結するためのパイプの寸法出しをするためには、まず、排水配管用定規の外側を中心線４２１と４２２に合わせる。角度Xは９１度１０分であるので、本考案の実施の形態に係る排水配管用定規と中心線４２１と、４２２とは、ぴったりと合う。その結果、交点４４０と端２０１は一致する。この状態で、エルボー３３０の呼び径と同じ値が付されている目盛を探し、その目盛の位置で、パイプ４１１にマークをする。
図５の場合にはエルボー３３０の呼び径は５０であるとすると、「５０」の値が付してある目盛１２２の位置でパイプ４１１にマークをする。目盛１２２は排水配管用定規の端から３３ｍｍの位置である。この３３ｍｍは呼び径が５０ｍｍのエルボーのZの値である。その結果、目盛１２２の位置でパイプ４１１に付したマークの位置は段差線４３１と一致する。したがって、このマークの位置でパイプ４１１を切断すればよい。
【００２７】
以上、説明したように、本考案の実施の形態に係る排水配管用定規を用いれば、図５の長さL２を測定することなく、L2の長さの位置でパイプ４１１を切断することができる。
【００２８】
なお、本考案に係る排水配管用定規の材料は金属またはプラスチックでよく、また、公知の方法により製造できるので、製造方法についての説明は省略する。
【図面の簡単な説明】
【００２９】
【図１】本考案の実施の形態に係る排水配管用定規の平面図である。
【図２】本考案の実施の形態に係る排水配管用定規の根元の部分の拡大図である。
【図３】２本のパイプがエルボーによって、９１度１０分の角度で連結されているものに、従来の直角定規をあてた様子を示す平面図である。
【図４】排水用のパイプをエルボーで連結するためのパイプの寸法出しの方法を説明するための平面図である。
【図５】本考案の実施の形態に係る排水配管用定規を用いて、排水用のパイプをエルボーで連結するためのパイプの寸法出しをする方法を説明するための平面図である。
【符号の説明】
【００３０】
１０１      第１定規部
１０２      第２定規部
１０３      内側目盛部
１２１      配管定規の内側に付された目盛
１２５      配管定規の内側に付された目盛
１４０      外側目盛部
１４１      配管定規の外側に付された目盛
１４２      配管定規の外側に付された目盛
Ｘ      第１定規部１０１と第２定規部１０２とがなす角度
【図１】
0003133725.tif 000004
【図２】
0003133725.tif 000005
【図３】
0003133725.tif 000006
【図４】
0003133725.tif 000007
【図５】
0003133725.tif 000008